(57)【要約】【課題】ディスペンサーの着脱を簡便、かつ確実に行うことができるディスペンサー付き容器を提案する。【解決手段】容器の内外につながる通路が形成された口頚部１ａを有しその内側に内容物の充填空間Ｍを形成する容器本体１と、該容器本体１の口頚部１ａに着脱自在に装着されるディスペンサー２とを備え、該ディスペンサー２を作動させることによって容器本体１内に充填された内容物を外部に向けて吐出させるディスペンサー付き容器において、該口頚部１ａの開口末端部に、径方向外側へ向けて延出するフランジ部３を設け、該ディスペンサー２に、該口頚部１ａのフランジ部３に重ね合わさって該口頚部１ａの通路を密封保持するフランジ部４を設ける。そして、該口頚部１ａと該ディスペンサー２との相互間に、該口頚部１ａのフランジ部３、該ディスペンサー２のフランジ部４をその重ね合わせ状態で挟み込んで該容器本体１および該ディスペンサー２を相互に連結する挟持部材５を配設する。【選択図】図１
2018034862.tif 000002
【特許請求の範囲】
【請求項１】
容器の内外につながる通路が形成された口頚部を有しその内側に内容物の充填空間を形成する容器本体と、該容器本体の口頚部に着脱自在に装着されるディスペンサーとを備え、該ディスペンサーを作動させることによって容器本体内に充填された内容物を外部に向けて吐出させるディスペンサー付き容器であって、
該口頚部は、その開口末端部に、径方向外側へ向けて延出するフランジ部を有し、
該ディスペンサーは、該口頚部のフランジ部に重ね合わさって該口頚部の通路を密封保持するフランジ部を有し、
該口頚部と該ディスペンサーとの相互間に、該口頚部のフランジ部、該ディスペンサーのフランジ部をその重ね合わせ状態で挟み込んで該容器本体および該ディスペンサーを相互に連結する挟持部材を配設してなり、
該挟持部材は、該ディスペンサーの胴体の一部分を内側に位置せしめる切欠き凹部を有し該ディスペンサーのフランジ部の上側面にスライド可能に配置される第１の板状片と、
該口頚部の胴体の一部分を内側に位置せしめる切欠き凹部を有し該口頚部のフランジ部の下側面にスライド可能に配置される第２の板状片と、
該第１の板状片、該第２の板状片を、該第１の板状片の切欠き凹部の開放端および第２の板状片の切欠き凹部の開放端を残してその縁部で相互に連結する周壁とを備える、ことを特徴とするディスペンサー付き容器。
【請求項２】
前記第１の板状片は、前記ディスペンサーのフランジ部の上側面に当接させて該フランジ部を押さえ込む少なくとも１つの凸部を有し、前記第２の板状片は、該口頚部のフランジ部の下側面に当接させて該フランジ部を押さえ込む少なくとも１つの凸部を有する請求項１記載のディスペンサー付き容器
【請求項３】
前記ディスペンサーのフランジ部および前記口頚部のフランジ部は、その外縁の対向位置にそれぞれ各一対の平行部を有し、前記周壁は、該各一対の平行部に合致して該挟持部材の、該フランジ部に対する回転を防止する一対の平行部を有する、ことを特徴とする請求項１または２に記載したディスペンサー付き容器。
【請求項４】
前記ディスペンサーのフランジ部は、前記口頚部のフランジ部との合わせ面に、該フランジ部を周回する環状の凹凸を有し、該口頚部のフランジ部は、該凹凸に適合する環状の凹凸を有する、ことを特徴とする請求項１〜３のいずれか１項に記載したディスペンサー付き容器。
【請求項５】
前記挟持部材は、該挟持部材による容器本体とディスペンサーの連結状態で前記容器本体そのものをその内側に収納するケースを有することを特徴とする請求項１〜４のいずれか１項に記載したディスペンサー付き容器。
【請求項６】
前記ケースは、前記挟持部材の第１の板状片の切欠き凹部の開放端および第２の板状片の切欠き凹部の開放端が位置する側のみが開放されそこを通して容器本体を収納する開口部を有することを特徴とする請求項５に記載したディスペンサー付き容器。
【請求項７】
前記ディスペンサーの胴体の外周壁部または前記容器本体の口頚部の通路壁部に、該ディスペンサーのフランジ部と口頚部のフランジ部との重ね合わせ状態で、対向する壁部に当接させて該ディスペンサーのフランジ部および該口頚部のフランジ部の相互間での気密性を確保する少なくとも一つの環状凸部を設けたことを特徴とする請求項１〜６のいずれか１項に記載したディスペンサー付き容器。
【発明の詳細な説明】
【技術分野】
【０００１】
本発明は、ディスペンサー付き容器に関するものである。
【背景技術】
【０００２】
シャンプーやリンス、洗顔石鹸、乳液あるいは黴取り剤のような薬剤等を充填する容器としては、近年、外気との接触を極力少なくして内容物の品質を保持するとともに内容物の適量注出を可能とするために、押圧ヘッドを繰り返し押し込むことによって内容物の吐出を可能とした押圧ヘッド式のディスペンサーや操作レバーを繰り返し牽洩することによって内容物の吐出を可能としたトリガー式のディスペンサー等が多用されている。
【０００３】
ところで、従来のこの種のディスペンサーは、例えば、特許文献１に見られるように、容器本体の口頚部にねじ部を介して装着されるのが普通であり、ディスペンサーそのものを回転させて容器本体の口頚部に取り付ける面倒な動作が必要であるうえ、とくに容器本体が薄肉部材で構成されたもの（薄肉で軟らかい合成樹脂製容器等）にあっては、ディスペンサーの取り付け時に容器本体の変形により内容物がこぼれ出してしまう不具合を有しており、その改善が求められていた。
【先行技術文献】
【特許文献】
【０００４】
【特許文献１】特開２０１３−２８３６２号公報
【発明の概要】
【発明が解決しようとする課題】
【０００５】
本発明の課題は、上記従来の不具合を伴うことなしにディスペンサーの着脱を簡便かつ確実に行うことができるディスペンサー付き容器を提案するところにある。
【課題を解決するための手段】
【０００６】
本発明は、容器の内外につながる通路が形成された口頚部を有しその内側に内容物の充填空間を形成する容器本体と、該容器本体の口頚部に着脱自在に装着されるディスペンサーとを備え、該ディスペンサーを作動させることによって容器本体内に充填された内容物を外部に向けて吐出させるディスペンサー付き容器であって、該口頚部は、その開口末端部に、径方向外側へ向けて延出するフランジ部を有し、該ディスペンサーは、該口頚部のフランジ部に重ね合わさって該口頚部の通路を密封保持するフランジ部を有し、該口頚部と該ディスペンサーとの相互間に、該口頚部のフランジ部、該ディスペンサーのフランジ部をその重ね合わせ状態で挟み込んで該容器本体および該ディスペンサーを相互に連結する挟持部材を配設してなり、該挟持部材は、該ディスペンサーの胴体の一部分を内側に位置せしめる切欠き凹部を有し該ディスペンサーのフランジ部の上側面にスライド可能に配置される第１の板状片と、該口頚部の胴体の一部分を内側に位置せしめる切欠き凹部を有し該口頚部のフランジ部の下側面にスライド可能に配置される第２の板状片と、該第１の板状片、該第２の板状片を、該第１の板状片の切欠き凹部の開放端および第２の板状片の切欠き凹部の開放端を残してその縁部で相互に連結する周壁とを備える、ことを特徴とするディスペンサー付き容器である。
【０００７】
また、本発明は、上記構成において、
１）前記第１の板状片は、前記ディスペンサーのフランジ部の上側面に当接させて該フランジ部を押さえ込む少なくとも１つの凸部を有し、前記第２の板状片は、該口頚部のフランジ部の下側面に当接させて該フランジ部を押さえ込む少なくとも１つの凸部を有すること、
２）前記ディスペンサーのフランジ部および前記口頚部のフランジ部は、その外縁の対向位置にそれぞれ各一対の平行部を有し、前記周壁は、該各一対の平行部に合致して該挟持部材の、該フランジ部に対する回転を防止する一対の平行部を有すること、
３）前記ディスペンサーのフランジ部は、前記口頚部のフランジ部との合わせ面に、該フランジ部を周回する環状の凹凸を有し、該口頚部のフランジ部は、該凹凸に適合する環状の凹凸を有すること、
４）前記挟持部材は、該挟持部材による容器本体とディスペンサーの連結状態で前記容器本体そのものをその内側に収納するケースを有すること、さらに、
５）前記ケースは、前記挟持部材の第１の板状片の切欠き凹部の開放端および第２の板状片の切欠き凹部の開放端が位置する側のみが開口しており、そこを通して容器本体を収納する開口部を有すること、
６）前記ディスペンサーの胴体の外周壁部または前記容器本体の口頚部の通路壁部に、該ディスペンサーのフランジ部と口頚部のフランジ部との重ね合わせ状態で、対向する壁部に当接させて該ディスペンサーのフランジ部および該口頚部のフランジ部の相互間での気密性を確保する少なくとも一つの環状凸部を設けること、
が課題解決手段の具体的手段として好ましい。
【発明の効果】
【０００８】
本発明のディスペンサー付き容器によれば、重ね合わせ状態にあるディスペンサーのフランジ部および容器本体の口頚部のフランジ部を、挟持部材の第１の板状片、第２の板状片にて挟み込む簡単な動作によりディスペンサーを容器本体に確実に固定することができる。また、逆に、挟持部材の該第１の板状片、第２の板状片をディスペンサーのフランジ部、容器本体の口頚部のフランジ部から抜き離すだけでディスペンサーの、容器本体に対する固定を解除することができる。
【０００９】
また、本発明のディスペンサー付き容器によれば、第１の板状片に設けられた凸部で、ディスペンサーのフランジ部を押さえ込む一方、第２の板状片に設けられた凸部で該口頚部のフランジ部を押さえ込むため、重ね合わせ状態にあるディスペンサーのフランジ部と口頚部のフランジ部がより大きな力でもって挟持することができる。
【００１０】
また、本発明のディスペンサー付き容器によれば、ディスペンサーのフランジ部および口頚部のフランジ部の外縁の対向位置にそれぞれ設けられた各一対の平行部が、周壁に設けられた平行部に合致するため、挟持部材の、フランジ部に対する回転が防止される。
【００１１】
また、本発明のディスペンサー付き容器によれば、ディスペンサーのフランジ部に該フランジ部を周回する環状の凹凸を設け、該口頚部のフランジ部には、該凹凸に適合する環状の凹凸を設けたため、その相互間における気密性を確保することができる。
【００１２】
挟持部材に、容器本体そのものをその内側に収納するケースを設けることにより、容器本体が例えば薄肉部材で構成されていても、容器の設置姿勢（座り）を良好に維持することができる。
【００１３】
とくに、ケースとして、挟持部材の第１の板状片の切欠き凹部の開放端および第２の板状片の切欠き凹部の開放端が位置する側のみが開口する開口部を有するものを適用することにより、その開口部を通して容器本体を収納することが可能となり、容器本体の、ケース内への収納と、ディスペンサーの、容器本体への装着が同時に行える。
【００１４】
また、本発明のディスペンサー付き容器によれば、ディスペンサーの胴体の外周壁部または前記容器本体の口頚部の通路壁部に、該ディスペンサーのフランジ部と口頚部のフランジ部との重ね合わせ状態で、対向する壁部に当接させて該ディスペンサーのフランジ部および該口頚部のフランジ部の相互間での気密性を確保する少なくとも一つの環状凸部を設けることもでき、これによれば、ディスペンサーのフランジ部と口頚部のフランジ部の合わせ面においてシール機構を設けるのを省略することができる。
【図面の簡単な説明】
【００１５】
【図１】本発明にしたがうディスペンサー付き容器の実施の形態をその正面について模式的に示した図である。
【図２】図１に示したディスペンサー付き容器の側面を示した図である。
【図３】図１のＡ−Ａ断面を示した図である。
【図４】図１に示したディスペンサー付き容器の要部を外観で示した図である。
【図５】図１に示したディペンサー付き容器につき、挟持部材のみを取り出して示した外観斜視図である。
【図６】(ａ)〜（ｃ）は、図１に示したディスペンサー付き容器の組み付け状況を示した図である。
【図７】本発明にしたがうディスペンサー付き容器の他の実施の形態をその正面について模式的に示した図である。
【発明を実施するための最良の形態】
【００１６】
以下、図面を参照して本発明をより具体的に説明する。
図１は、本発明にしたがうディスペンサー付き容器の実施の形態をその正面について模式的に示した図であり（断面表示）、図２は図１に示したディスペンサー付き容器の側面を示した図であり（ケースは断面表示）、図３は、図１のＡ−Ａ断面を示した図である。また、図４は、図１に示したディスペンサー付き容器の要部を外観で示した図であり、図５は、図１に示したディスペンサー付き容器に配設された挟持部材のみを表示した外観斜視図である。
【００１７】
本発明にしたがうディスペンサー付き容器は、その構成部材の全てを合成樹脂で構成することを基本とするが、その一部分、例えば、ディスペンサーの逆止弁や弾性部材（ばね部材）等については金属製部材を適用することもできる。容器本体は、ブロー成形や射出成形あるいはシート成形等によって製造される。また、フィルム（合成樹脂製のフィルムやアルミ箔の如き金属製のフィルム等）を適宜貼り合わせて構成される所謂パウチ容器を容器本体としてもよい。
【００１８】
図における符号１は、内側に内容物の充填空間Ｍを形成する容器本体である。容器本体１の頂部にはその内外につながる通路が形成された筒状の口頚部１ａが設けられている。容器本体１は、保形性を高めるために肉厚のものを適用することができる他、資源の有効活用を図る観点から薄肉のものを用いてもよい。
【００１９】
また、符号２は、容器本体１の口頚部１ａに着脱自在に装着されるディスペンサーである。ディスペンサー２としては、内容物を吐出させるノズルｎを有する押圧ヘッド２ａと、この押圧ヘッド２ａを繰り返し押し込むことによってシリンダーＣ内に配置されたピストンＰを往復移動させ（ディスペンサーの作動）、容器本体１の充填空間Ｍ内に充填された内容物をシリンダーＣ内に吸引するとともに加圧、圧縮して押圧ヘッド２ａのノズルｎから吐出させるポンプ２ｂとを備えたものが適用される。
【００２０】
本発明では、押圧ヘッド２ａを備えたディスペンサーを例として示したが、操作レバーを牽洩して内容物を吐出させるトリガー式のディスペンサーやその他の形式のディスペンサーを適用することも可能であり、図示のものに限定されない。図示したところの押圧ヘッド２ａは、ベース部材２ｃにねじ止めされた状態（出荷状態）にあるが、その係合を解除して押圧ヘッド２ａを上昇姿勢に付勢させることで内容物の吐出を可能としている。
【００２１】
なお、ポンプ２ｂは、シリンダーＣを含めて構成されるものであり、該ポンプ２ｂの構成部材において、符号２ｂ１は、内容物の吐出経路を有し押圧ヘッド２ａおよびピストンＰとを相互につなぐ中空ステム、２ｂ２は、該中空ステム２ｂ１を押圧ヘッド２ａとともに弾性支持し該押圧ヘッド２ａを上昇姿勢に付勢する弾性部材（スプリング等）、２ｂ３は、シリンダーＣの底部に配置されピストンＰを案内するピストンガイド、２ｂ４は、シリンダーＣの下端において連結し容器本体１内の内容物をシリンダーＣ内に吸引する吸引パイプ、２ｂ５は、シリンダーＣの吸引口に配置され容器本体１内の内容物を吸引するときにのみ開放する逆止弁、２ｂ６は、中空ステム２ｂ１の吐出経路に配置され内容物の吐出時にのみ開放する逆止弁である。
【００２２】
また、３は、口頚部１ａの開口末端部に設けられ径方向外側に向けて延出するフランジ部、４は、ディスペンサー２の胴体（シリンダーＣの外周壁部等）に設けられ口頚部１ａのフランジ部３に重ね合わさって該口頚部１ａを気密状態で密封保持するフランジ部である。フランジ部４がフランジ部３に重ね合わさることによってディスペンサー２は、容器本体１の充填空間Ｍに吊り下げ保持される。
【００２３】
フランジ部３、４としては、それぞれ、厚さが均一になる部材を用いるのが好ましく（フランジ部３とフランジ部４とは厚さが異なっていてもかまわない）、その左右外縁の対向位置（挟持空間の幅方向の端部）にはそれぞれ各一対の平行部３ａ、３ｂ、４ａ、４ｂが設けられている（図３参照）。平行部３ａ、３ｂ、４ａ、４ｂを設けることにより各フランジ部３、４の平面形状はトラック形状を呈することになるが、フランジ部３、４の平面形状は任意に変更し得る。
【００２４】
また、５は、口頚部１ａとディスペンサー２との相互間に配設される挟持部材である。挟持部材５は、口頚部１ａのフランジ部３、ディスペンサー２のフランジ部４を重ね合わせ状態で上下に挟み込むものであって、これにより容器本体１およびディスペンサー２を相互に連結している。
【００２５】
挟持部材５は、具体的には、ディスペンサー２の胴体（シリンダーＣ等）の一部分を内側に位置せしめる切欠き凹部５ａを有しディスペンサー２のフランジ部４の上側面にスライド可能に配置される第１の板状片５ｂと、口頚部１ａの胴体の一部分を内側に位置せしめる切欠き凹部５ｃを有し口頚部１ａのフランジ部３の下側面にスライド可能に配置される第２の板状片５ｄと、第１の板状片５ｂ、第２の板状片５ｄを、第１の板状片５ｂの切欠き凹部５ａの開放端５ａ１および第２の板状片５ｄの切欠き凹部５ｃの開放端５ｃ１を残してその縁部で相互に連結する周壁５ｅとを備えている。
【００２６】
第１の板状片５ｂ、第２の板状片５ｄ、周壁５ｅとによって取り囲まれた部分でフランジ部４、３の挟持空間Ｎが区画形成され、第１の板状片５ｂの切欠き凹部５ａの開放端５ａ１および第２の板状片５ｄの切欠き凹部５ｃの開放端５ｃ１側において該挟持空間の出入り口Ｋが形成される。
【００２７】
第１の板状片５ｂ、第２の板状片５ｄによるフランジ部４、３の挟み込みを容易にするため、挟持空間の出入り口Ｋにおける該第１の板状片５ｂ、第２の板状片５ｄの厚さは、該出入り口Ｋの突端で薄くし、フランジ部４、３の挟持空間Ｎの奥側に向けて徐々に厚くなるような傾斜（テーパ）Ｓを付与しておくことが好ましく（図２参照）、また、該出入り口Ｋの幅寸法Ｗは挟持空間Ｎの奥側に向けて徐々に狭めた、先すぼまり形状としておくのが好ましい（図３参照）。
【００２８】
周壁５ｅは、その左右両側の対向位置（出入口Ｋの幅方向）に、ディスペンサー２のフランジ部４および口頚部１ａのフランジ部３に設けられた平行部４ａ、４ｂ、３ａ、３ｂに合致する一対の平行部５ｅ１、５ｅ２を有しており（図３参照）、これにより挟持部材５の、フランジ部４、３に対する回転を防止するようになっている。
【００２９】
６は、第１の板状片５ｂの下面に設けられディスペンサー２のフランジ部４の上側面に当接させて該フランジ部４を押さえ込む凸部、７は、第２の板状片５ｄの上面に設けられ口頚部１ａのフランジ部３の上側面に当接させて該フランジ部３を押さえ込む凸部である。凸部６によりフランジ部４を押さえ込み、凸部７によりフランジ部３を押さえ込むことによりディスペンサー２は容器本体１に強固に連結されその相互間が気密状態に保持される。凸部６、７としては、突起状のものやリブ状のものを適用することができる。また、凸部６、７の形成位置については、フランジ３、４の強固な挟み込みを実現するため出入り口Ｋの入側近傍域に設けるのが好ましい。
【００３０】
さらに、８は、ディスペンサー２のフランジ部４（口頚部１ａのフランジ部３との合わせ面）に設けられた環状の凹凸、９は、口頚部１ａのフランジ部３（ディスペンサー２のフランジ部４との合わせ面）に設けられ該環状の凹凸８に適合する環状の凹凸である。これらの凹凸８、９は、フランジ部３、４の合わせ面における接触面積を増大させるものであって、これにより気密性を高めることができるようになっている。なお、フランジ３、４の合わせ面にはパッキンを配置することもできる。
【００３１】
さらに、符号１０は、挟持部材５に一体連結するケースである。ケース１０は、容器本体１とディスペンサー２との連結状態で容器本体１そのものをその内側に収納するものである。このケース１０は、挟持部材５の第１の板状片５ｂの切欠き凹部５ａの開放端５ａ１および第２の板状片５ｄの切欠き凹部５ｃの開放端５ｃ１が位置する側のみが開放されており、そこを通して容器本体１を収納可能とする開口部１０ａを有している。
【００３２】
ケース１０は、容器本体１が保形性の比較的低い薄肉部材から構成されている場合にとくに有効であり、容器本体１として保形性が比較的高いものを用いる場合にあっては、それを省略することができる。
【００３３】
ディスペンサー２を容器本体１に装着するには、まず、図６（ａ）（ｂ）に示すように、容器本体１の口頚部１ａに設けられたフランジ部３、ディスペンサー２に設けられたフランジ部４を重ね合わせ、その重ね合わせ状態を保持したまま図６（ｃ）に示すように挟持部材５の切欠き凹部５ａの開放端５ａ１、切欠き凹部５ｃの開放端５ｃ１側の出入り口Ｋを通して第１の板状片５ｂ、第２の板状片５ｄの相互間にフランジ部３、フランジ部４を差し込めばよい。
【００３４】
これにより、フランジ部３、フランジ部４は、挟持部材５の第１の板状片５ｂ、第２の板状片５ｄにより強固に挟持される。
【００３５】
本発明のディスペンサー付き容器は、上述のように、ディスペンサー２のフランジ部４、口頚部１ａのフランジ部３を重ね合わせ、それを、第１の板状片５ｂ、第２の板状片５ｄの相互間に差し込むだけで気密状態を維持したままディスペンサー２を容器本体１に連結することが可能であり、ディスペンサー２を回転させて容器本体１に着脱するような面倒な動作は不要であり、とくに薄肉部材からなる容器本体１において起こりがちであったディスペンサー装着時の内容物のこぼれ出しを効果的に回避することができる。
【００３６】
また、内容物を使い切ったのちにおいて新規な容器に付替えるべく、ディスペンサー２を容器本体１から取り外す際には、ディスペンサー２のフランジ部４、口頚部１ａのフランジ部３を、挟持部材５から引き出すだけでよく分別回収も簡便に行い得る。
【００３７】
図７は、本発明にしたがうディスペンサー付き容器の他の実施形態を示した図である。
【００３８】
この例は、ディスペンサー２の胴体の外周壁部（シリンダーＣの外周壁部）に環状凸部１１を設け、ディスペンサー２のフランジ部４と口頚部１ａのフランジ部３との重ね合わせ状態で、該環状凸部１１を、口頚部１ａの通路壁部１ａ′（シリンダーＣの外周壁部に対向する壁部）に当接させて該ディスペンサー２のフランジ部４および該口頚部１ａのフランジ部３の相互間を気密状態に保持する構造のものである。
【００３９】
かかるディスペンサー付き容器においては、ディスペンサー２のフランジ部４と口頚部１ａのフランジ部３の合わせ面においてシール機構（凹凸８、９）を構成するのを省略することができ、その形状の簡素化（フランジ部の合わせ面のフラット化）が可能となる。なお、環状凸部１１は、容器本体１の口頚部１ａの通路壁部１ａ′に設けてもよく、この点についてはとくに限定されない。また、ディスペンサー２のフランジ部４と口頚部１ａのフランジ部３に凹凸８、９を設け、加えて、ディスペンサー２の胴体の外周壁部（シリンダーＣの外周壁部）あるいは口頚部１ａの通路壁部１ａ′に環状凸部１１を設けることも可能であり、この場合、フランジ部相互間の気密性をより一層高めることができる。
【産業上の利用可能性】
【００４０】
本発明によれば、ディスペンサーの着脱を簡便かつ確実に行い得るディスペンサー付き容器が提供できる。
【符号の説明】
【００４１】
１      容器本体
１ａ    口頚部
１ａ′  通路壁部
２      ディスペンサー
２ａ    押圧ヘッド
２ｂ    ポンプ
２ｂ１  中空ステム
２ｂ２  弾性部材
２ｂ３  ピストンガイド
２ｂ４  吸引パイプ
２ｂ５  逆止弁
２ｂ６  逆止弁
２ｃ    ベース部材
３      フランジ部
３ａ、３ｂ  平行部
４      フランジ部
４ａ、４ｂ  平行部
５      挟持部材
５ａ  切欠き凹部
５ａ１  開放端
５ｂ  第１の板状片
５ｃ  切欠き凹部
５ｃ１  開放端
５ｄ    第２の板状片
５ｅ１、５ｅ２  平行部
６      凸部
７      凸部
８      凹凸
９      凹凸
１０    ケース
１０ａ  開口部
１１    環状凸部
Ｍ      充填空間
Ｃ      シリンダー
ｎ      ノズル
Ｓ      傾斜
Ｐ      ピストン
Ｎ      挟持空間
Ｋ      出入り口
【図１】
2018034862.tif 000003
【図２】
2018034862.tif 000004
【図３】
2018034862.tif 000005
【図４】
2018034862.tif 000006
【図５】
2018034862.tif 000007
【図６】
2018034862.tif 000008
【図７】
2018034862.tif 000009